(57)【要約】【課題】  ＤＱＰＳＫ変調された光信号を多レベルの位相変調信号に復調する光受信器において、簡単な空間光学系を利用して、温度変化などの外乱の影響を受けにくい光受信器を提供すること。【解決手段】  ＤＱＰＳＫ変調された光信号Ａを多レベルの位相変調信号に復調する光受信器において、ＤＱＰＳＫ変調された光信号を、偏波面の異なる２つの光波に分岐すると共に、一方の分岐光に１ビット分の遅れを発生させ、両者を合波する光学系を少なくとも偏光ビームスプリッター２を用いて構成し、偏光ビームスプリッターから出射する光波に対して、Ｉ成分信号とＱ成分信号との位相関係を相対的に固定するための１／４波長板（８，９）を設けたことを特徴とする。【選択図】図３
2010226170.tif 000002
【特許請求の範囲】
【請求項１】
ＤＱＰＳＫ変調された光信号を多レベルの位相変調信号に復調する光受信器において、
ＤＱＰＳＫ変調された光信号を、偏波面の異なる２つの光波に分岐すると共に、一方の分岐光に１ビット分の遅れを発生させ、両者を合波する光学系を少なくとも偏光ビームスプリッターを用いて構成し、
偏光ビームスプリッターから出射する光波に対して、Ｉ成分信号とＱ成分信号との位相関係を相対的に固定するための１／４波長板を設けたことを特徴とする光受信器。
【請求項２】
請求項１に記載の光受信器において、該偏光ビームスプリッターには、偏波コントローラを介した単一の光波が入射され、該偏光ビームスプリッターから出射する光波は２つに分岐され、一方の分岐光は、＋４５度の該１／４波長板と２２．５度の偏波面回転手段及び偏波分離手段を経てＩ成分信号を生成し、他方の分岐光は−４５度の該１／４波長板と２２．５度の偏波面回転手段及び偏波分離手段を経てＱ成分信号を生成することを特徴とする光受信器。
【請求項３】
請求項１に記載の光受信器において、偏波コントローラを介した単一の光波を偏波分離手段で２つ分離すると共に、４５度の偏波面回転手段を通過した後に、該偏光ビームスプリッターに入射させ、該偏光ビームスプリッターから出射する２つの光波の内、一方の光波は＋４５度の該１／４波長板と２２．５度の偏波面回転手段及び偏波分離手段を経てＩ成分信号を生成し、他方の光波は−４５度の該１／４波長板と２２．５度の偏波面回転手段及び偏波分離手段を経てＱ成分信号を生成することを特徴とする光受信器。
【請求項４】
請求項１に記載の光受信器において、該偏光ビームスプリッターには、偏波コントローラを介した単一の光波が入射され、該偏光ビームスプリッターから出射する光波は−４５度の該１／４波長板を通過させた後に２つに分岐され、一方の分岐光は、２２．５度の偏波面回転手段及び偏波分離手段を経てＩ成分信号を生成し、他方の分岐光は半波長板と２２．５度の偏波面回転手段及び偏波分離手段を経てＱ成分信号を生成することを特徴とする光受信器。
【請求項５】
請求項１乃至４のいずれかに記載の光受信器において、該偏光ビームスプリッターから出射する光波の一部の光強度を検出し、該検出した光強度に基づく信号により、該偏光ビームスプリッターと協働して前記１ビット分の遅れを発生させる反射手段の位置を調整することを特徴とする光受信器。
【発明の詳細な説明】
【技術分野】
【０００１】
本発明は、光受信器に関し、特に、ＤＱＰＳＫ変調された光信号を多レベルの位相変調信号に復調する光受信器に関する。
【背景技術】
【０００２】
通信トラフィックの増大に伴い、高速・大容量化が求められる次世代長距離大容量光通信システムでは、多値変復調符号化技術の導入が検討されている。その代表的なものの一つに差動四相位相偏移変調（ＤＱＰＳＫ変調，Differential Quadrature Phase Shift keying）方式がある。この方式では、従来の２値強度変調（ＯＯＫ）方式と比べ、信号帯域が狭く、周波数利用効率の向上や伝送距離の拡大が実現できるほか、高感度化も期待できる。
【０００３】
まず、四相位相偏移変調（ＱＰＳＫ変調，Quadrature Phase Shift keying）方式は、２ビットのデータから構成される各シンボル「００」，「０１」，「１１」及び「１０」に対して、「θ」，「θ＋π／２」，「θ＋π」及び「θ＋３π／２」が割り当てられる。ここで、「θ」は任意の位相である。そして、受信器は、受信信号の位相を検出することにより、送信データを再生する。ＱＰＳＫ変調方式を比較的容易に実現する手段として、ＤＱＰＳＫ変調方式があり、ＤＱＰＳＫ変調では、先に送信したシンボルの値と次に送信するシンボルの値との間の搬送波の位相変化量（「０」,「π／２」，「π」及び「３π／２」）が送信情報の２ビットに対応付けられる。したがって、受信器は、隣接する２つのシンボル間の位相差を検出することにより、送信データを再生することができる。
【０００４】
特許文献１又は２に示すように、ＤＱＰＳＫ変調された光信号を復調するには、Ｉ（In-phase）信号生成用とＱ（Quadrature）信号生成用の２つの遅延干渉計を必要とし、しかも、高精度で位相差を復調する必要がある。しかし、光受信器の周辺温度などの影響で、遅延干渉計内の光路長が変化し、位相が安定しないため、高精度な復調が困難となる。また、いずれの干渉計でどちらの信号成分を復調しているのかが識別できないなど問題があった。また、光信号を分岐し２つの干渉計に導入するまでの光路長差や、各干渉計を構成する光路長の差を、最適に調整する必要があり、制御系が極めて複雑化するという問題を生じていた。
【０００５】
また、特許文献３には、図１に示すように、ＤＱＰＳＫ変調の光受信器を、ハーフミラーを用いた空間光学系で構成することが開示されている。ＤＱＰＳＫ変調された光信号Ａは、レンズ１００を通過して２分岐プリズム１０１に入射する。分岐した一方の光波ａ１は、ハーフミラー１０２で、さらに２つに分かれ、第１のリフレクタ１０３で反射する光波ａ２と、第２のリフレクタで反射する光波ａ３となる。光波ａ３は、位相調整部１０５を通過することにより＋π／４だけ位相がシフトするよう調整される。
【０００６】
光波ａ２とａ３は再度ハーフミラー１０２で合波し、２つの合成光（ａ４，ａ５）と合成光（ａ６，ａ７）を形成し、ミラー１０５又は１０６で反射し、レンズ１１０又は１１１で収束されて、信号光ａ８とａ９となり、平衡光検出器１１２に入射する。
【０００７】
他方、分岐したもう一方の光波ｂ１は、ハーフミラー１０２で、さらに２つに分かれ、第１のリフレクタ１０３で反射する光波ｂ２と、第２のリフレクタで反射する光波ｂ３となる。光波ｂ３は、位相調整部１０５を通過することにより−π／４だけ位相がシフトするよう調整される。
【０００８】
光波ｂ２とｂ３は再度ハーフミラー１０２で合波し、２つの合成光（ｂ４，ｂ５）と合成光（ｂ６，ｂ７）を形成し、ミラー１０５又は１０６で反射し、レンズ１０７又は１０８で収束されて、信号光ｂ８とｂ９となり、平衡光検出器１０９に入射する。
【０００９】
このように、ＤＱＰＳＫ変調の光受信器を空間光学系で組み立てる場合には、位相調整部１０５において、光波ａ３とｂ３に異なる位相シフトを付与する必要があるため、位相調整部１０５の構成が複雑化する上、装置の小型化が難しい。しかも、ハーフミラー１０２、２つのリフレクタ（１０３，１０４）及び２つのミラー（１０５，１０６）などの各光学部品を精度よく配置する必要があり、これらの位置関係は温度変化の影響を受け易く、調整が煩雑化するなどの不具合がある。
【００１０】
これに対し、特許文献４において、本出願人は、図２に示すように、偏波面に着目する光受信器を提案した。具体的には、ＤＱＰＳＫ変調光Ａは、偏波コントローラ１を経て、偏波面が一方向に揃えた状態Ｂで、１ビット遅延回路に導入される。１ビット遅延回路では、偏波保持型のファイバカプラ（２１，２２，２４）で構成されるとともに、一方の分岐光の経路には偏波面を９０度回転させる半波長板２３が配置されている。これにより、合波された光波は、符号Ｃに示すように、互いに１ビット遅延した２つの信号光が、偏波面が直交する状態で合成されている。
【００１１】
さらに、信号光Ｃは、ハーフミラー３１と反射板３２〜３４を経て２つに分岐し、＋４５度の１／４波長板４１と−４５度の１／４波長板を各々経て、偏波分離手段５１，５２で、さらに２ずつに分かれ、バランスド受光素子６１，６２に入射し、Ｉ成分信号とＱ成分信号とを生成する。
【００１２】
しかしながら、偏波保持型のファイバカプラは、温度変化や外部応力などの外乱に対して非常に敏感であり、装置としての安定性が乏しいという問題がある。また、ハーフミラーも偏波依存性の影響を受けるため、光路長に誤差が生じ易く、Ｉ成分信号とＱ成分信号との間に時間的なずれが発生する可能性が高い。
【００１３】
さらに、特許文献３のように、ハーフミラーを１ビット遅延回路における分岐手段として利用する場合には、図２の符号２１に示す分岐側においては、偏波依存型のハーフミラーを使用し、符号２４で示す合波側は偏波合成という、互いに機能が異なるハーフミラーを用意する必要があり、装置が複雑化するという問題もある。
【先行技術文献】
【特許文献】
【００１４】
【特許文献１】特開２００６−２９５６０３号公報
【特許文献２】特開２００７−１５８８５２号公報
【特許文献３】特開２００７−１５１０２６号公報
【特許文献４】特願２００８−２５５５２８号（２００８年９月３０日出願）
【発明の概要】
【発明が解決しようとする課題】
【００１５】
本発明が解決しようとする課題は、上述したような問題を解決し、ＤＱＰＳＫ変調された光信号を多レベルの位相変調信号に復調する光受信器において、簡単な空間光学系を利用して、温度変化などの外乱の影響を受けにくい光受信器を提供することである。
【課題を解決するための手段】
【００１６】
上記課題を解決するため、請求項１に係る発明は、ＤＱＰＳＫ変調された光信号を多レベルの位相変調信号に復調する光受信器において、ＤＱＰＳＫ変調された光信号を、偏波面の異なる２つの光波に分岐すると共に、一方の分岐光に１ビット分の遅れを発生させ、両者を合波する光学系を少なくとも偏光ビームスプリッターを用いて構成し、偏光ビームスプリッターから出射する光波に対して、I成分信号とＱ成分信号との位相関係を相対的に固定するための１／４波長板を設けたことを特徴とする。
【００１７】
請求項２に係る発明は、請求項１に記載の光受信器において、該偏光ビームスプリッターには、偏波コントローラを介した単一の光波が入射され、該偏光ビームスプリッターから出射する光波は２つに分岐され、一方の分岐光は、＋４５度の該１／４波長板と２２．５度の偏波面回転手段及び偏波分離手段を経てＩ成分信号を生成し、他方の分岐光は−４５度の該１／４波長板と２２．５度の偏波面回転手段及び偏波分離手段を経てＱ成分信号を生成することを特徴とする。
【００１８】
請求項３に係る発明は、請求項１に記載の光受信器において、偏波コントローラを介した単一の光波を偏波分離手段で２つ分離すると共に、４５度の偏波面回転手段を通過した後に、該偏光ビームスプリッターに入射させ、該偏光ビームスプリッターから出射する２つの光波の内、一方の光波は＋４５度の該１／４波長板と２２．５度の偏波面回転手段及び偏波分離手段を経てＩ成分信号を生成し、他方の光波は−４５度の該１／４波長板と２２．５度の偏波面回転手段及び偏波分離手段を経てＱ成分信号を生成することを特徴とする。
【００１９】
請求項４に係る発明は、請求項１に記載の光受信器において、該偏光ビームスプリッターには、偏波コントローラを介した単一の光波が入射され、該偏光ビームスプリッターから出射する光波は−４５度の該１／４波長板を通過させた後に２つに分岐され、一方の分岐光は、２２．５度の偏波面回転手段及び偏波分離手段を経てＩ成分信号を生成し、他方の分岐光は半波長板と２２．５度の偏波面回転手段及び偏波分離手段を経てＱ成分信号を生成することを特徴とする。
【００２０】
請求項５に係る発明は、請求項１乃至４のいずれかに記載の光受信器において、該偏光ビームスプリッターから出射する光波の一部の光強度を検出し、該検出した光強度に基づく信号により、該偏光ビームスプリッターと協働して前記１ビット分の遅れを発生させる反射手段の位置を調整することを特徴とする。
【発明の効果】
【００２１】
請求項１に係る発明により、ＤＱＰＳＫ変調された光信号を多レベルの位相変調信号に復調する光受信器において、ＤＱＰＳＫ変調された光信号を、偏波面の異なる２つの光波に分岐すると共に、一方の分岐光に１ビット分の遅れを発生させ、両者を合波する光学系を少なくとも偏光ビームスプリッターを用いて構成し、偏光ビームスプリッターから出射する光波に対して、Ｉ成分信号とＱ成分信号との位相関係を相対的に固定するための１／４波長板を設けたため、偏波分離・合成を偏光ビームスプリッターを用いて簡単な空間光学系で実現でき、しかも、偏光ビームスプリッターと１／４波長板を組み合わせることにより、Ｉ成分信号とＱ成分信号とを正確に分離することが可能となる。さらに、光学部品の調整を行う必要がある箇所が、偏光ビームスプリッターを利用した１ビット分の遅延回路など、従来の空間光学系と比較しても調整箇所が少なくなるため、温度変化などの外乱に対する安定性を向上することが可能となる。
【００２２】
請求項２に係る発明により、偏光ビームスプリッターには、偏波コントローラを介した単一の光波が入射され、該偏光ビームスプリッターから出射する光波は２つに分岐され、一方の分岐光は、＋４５度の該１／４波長板と２２．５度の偏波面回転手段及び偏波分離手段を経てＩ成分信号を生成し、他方の分岐光は−４５度の該１／４波長板と２２．５度の偏波面回転手段及び偏波分離手段を経てＱ成分信号を生成するため、簡単な空間光学系でＤＱＰＳＫ変調の光受信器を実現することができる。
【００２３】
請求項３に係る発明により、偏波コントローラを介した単一の光波を偏波分離手段で２つ分離すると共に、４５度の偏波面回転手段を通過した後に、該偏光ビームスプリッターに入射させ、該偏光ビームスプリッターから出射する２つの光波の内、一方の光波は＋４５度の該１／４波長板と２２．５度の偏波面回転手段及び偏波分離手段を経てＩ成分信号を生成し、他方の光波は−４５度の該１／４波長板と２２．５度の偏波面回転手段及び偏波分離手段を経てＱ成分信号を生成するため、簡単な空間光学系でＤＱＰＳＫ変調の光受信器を実現することができる。
【００２４】
請求項４に係る発明により、偏光ビームスプリッターには、偏波コントローラを介した単一の光波が入射され、該偏光ビームスプリッターから出射する光波は−４５度の該１／４波長板を通過させた後に２つに分岐され、一方の分岐光は、２２．５度の偏波面回転手段及び偏波分離手段を経てＩ成分信号を生成し、他方の分岐光は半波長板と２２．５度の偏波面回転手段及び偏波分離手段を経てＱ成分信号を生成するため、簡単な空間光学系でＤＱＰＳＫ変調の光受信器を実現することができる。
【００２５】
請求項５に係る発明により、偏光ビームスプリッターから出射する光波の一部の光強度を検出し、該検出した光強度に基づく信号により、該偏光ビームスプリッターと協働して前記１ビット分の遅れを発生させる反射手段の位置を調整するため、１ビット分の遅延回路を常に適正な状態に維持でき、温度変化などの外乱の影響を受け難いＤＱＰＳＫ変調の光受信器を提供することが可能となる。
【図面の簡単な説明】
【００２６】
【図１】従来の空間光学系で構成されるＤＱＰＳＫ変調の光受信器を示す図である。
【図２】本出願人が先の出願で提示した偏波面を利用したＤＱＰＳＫ変調の光受信器を示す図である。
【図３】本発明の光受信器に係る第１の実施例を示す図である。
【図４】本発明の光受信器に係る第２の実施例を示す図である。
【図５】本発明の光受信器に係る第３の実施例を示す図である。
【図６】本発明の光受信器において、１ビット分の遅延回路に光路長調整手段を設ける例を示す図である。
【発明を実施するための形態】
【００２７】
以下、本発明を好適例を用いて詳細に説明する。
本発明は、図３に示すように、ＤＱＰＳＫ変調された光信号Ａを多レベルの位相変調信号に復調する光受信器において、ＤＱＰＳＫ変調された光信号を、偏波面の異なる２つの光波に分岐すると共に、一方の分岐光に１ビット分の遅れを発生させ、両者を合波する光学系を少なくとも偏光ビームスプリッター２を用いて構成し、偏光ビームスプリッターから出射する光波に対して、I（In-phase）成分信号とＱ（Quadrature）成分信号との位相関係を相対的に固定するための１／４波長板（８，９）を設けたことを特徴とする。
【００２８】
本発明の光受信器の特徴は、Ｉ成分信号及びＱ成分信号の復調を行うために必要な干渉計が、図３に示すように、偏光ビームスプリッター２を用いた一つの干渉手段のみから構成されることである。この偏光ビームスプリッターを利用することで、（１）ＤＱＰＳＫ変調された光信号を２つの直交する偏波面を有する光波に分岐できること、（２）偏波面の関係を維持しながら、２つの分岐光を合波すること、という機能を実現できる。
【００２９】
しかも、偏光ビームスプリッターと１／４波長板を組み合わせることにより、Ｉ成分信号とＱ成分信号とを正確に分離することが可能となる。精度の高い、Ｉ成分信号とＱ成分信号を得ることができる。
【００３０】
図３に示された本発明の光受信器の第１の実施例について、詳細に説明する。
偏波コントローラ１で光信号Ａの偏波面を調整し、偏光ビームスプリッター２に入射させる。偏光ビームスプリッターでは信号光が２つの光波に分岐され、かつ、２つの分岐光は互いに直交する偏波面を有している。偏光ビームスプリッター２で分岐した２つの光波の強度がほぼ同じになるように、偏波コントローラ１を出射する光波の偏波面が設定されている。
【００３１】
一方の分岐光は、プリズムミラー３に向い、図３に示すようにプリズムミラー３で反射して、再度、偏光ビームスプリッター２に入射する。他方の分岐光は、プリズムミラー４に向い、プリズムミラー４で反射して、再度、偏光ビームスプリッター２に入射する。この２つの分岐光の光路長差は１ビット分の位相差を生じるように設定されている。特に、偏光ビームスプリッター２に対してプリズムミラー４の位置は固定されており、プリズムミラー３の位置は、偏光ビームスプリッターに対して近接又は離間できるよう移動可能なように設定されている。プリズムミラー３の移動機構は種々のものが利用可能であるが、位置を微調整する場合には、圧電素子５などが好適に利用可能である。
【００３２】
プリズムミラー３及び４から反射して、偏光ビームスプリッター２に再入射した光波は、互いに１ビット分の位相差を有し、直交する偏波面の関係を維持しながら合波され、偏光ビームスプリッター２から出射する。
【００３３】
偏光ビームスプリッターから出射する光波は、ハーフミラー６で２つに分岐され、一方の分岐光は、＋４５度の１／４波長板８と２２．５度の偏波面回転手段１０及び方解石などの偏波分離手段１１を経て、Ｉ成分信号を生成するためのＩ＋信号光とＩ−信号光に分離される。Ｉ＋信号光とＩ−信号光とは、バランスド受光素子など不図示の受光素子に入射され、Ｉ成分信号を生成する。
【００３４】
他方の分岐光は、ミラー７で反射され、−４５度の１／４波長板９と２２．５度の偏波面回転手段１０及び偏波分離手段１１を経て、Ｑ成分信号を生成するためのＱ＋信号光とＱ−信号光に分離される。Ｉ成分信号と同様に、Ｑ＋信号光とＱ−信号光とは、不図示の受光素子により、Ｑ成分信号を生成する。
【００３５】
なお、Ｑ成分の信号光の方は、Ｉ成分の信号光と比較し、ハーフミラー６とミラー７との間の光路長だけ余分に伝搬している。この光路長差により、Ｉ成分信号とＱ成分信号とが位相差を生じる場合があり、これを解消するためには、図２に示すようなハーフミラー３１と反射板３２〜３４を利用して、両者の光路長を整合させることも可能である。なお、ハーフミラーに代わりに、偏光ビームスプリッターやカルサイトなどの複屈折部材を用いることにより、ハーフミラー特有の位相差の発生を抑制することも可能である。
【００３６】
次に、図４に基づいて、本発明の光受信器の第２の実施例について、説明する。
図４において、信号光Ａは、偏波コントローラ１を経た後、偏波分離手段１２で２つの光波に分離される。各光波は、４５度の偏波面回転手段１３を通過した後に偏光ビームスプリッター２に入射し、第１の実施例と同様に、偏光ビームスプリッター２及びプリズムミラー３及び４により、１ビット分の位相差を有し互いに偏波面が直交する光波に変換される。符号５は、プリズムミラー３の位置を調整するための圧電素子を示す。なお、位置を調整するために、ポリマーやシリコンなどを光路中に介在させることで、光路長を変更することも可能である。
【００３７】
１ビット分の位相差を有し互いに偏波面が直交する光波が２つ生成された後、一方の光波は、＋４５度の１／４波長板８と２２．５度の偏波面回転手段１０及び偏波分離手段１１を経て、Ｉ成分信号を生成するためのＩ＋信号光とＩ−信号光に分離される。
【００３８】
偏光ビームスプリッター２から出射する他方の光波は、−４５度の１／４波長板９と２２．５度の偏波面回転手段１０及び偏波分離手段１１を経て、Ｑ成分信号を生成するためのＱ＋信号光とＱ−信号光に分離される。
【００３９】
第２の実施例では、ハーフミラーなどの光波を分岐する手段を用いていないため、ハーフミラーの偏波依存性の影響を受けず、光路長に誤差が生じ難く、Ｉ成分信号とＱ成分信号との間に時間的なずれが発生するのを抑制できる。
【００４０】
次に、図５に基づいて、本発明の光受信器の第３の実施例について、説明する。
図５は、図３の第１の実施例の応用例であり、偏光ビームスプリッター２を出射するまでは、両者は同じ構成である。図５では、偏光ビームスプリッター２から出射した、１ビット分の位相差を有し互いに偏波面が直交する光波は、−４５度の１／４波長板１４を通過させた後に、ハーフミラー１５で２つに分岐され、一方の分岐光は、２２．５度の偏波面回転手段及び偏波分離手段を経て、Ｉ成分信号を生成するためのＩ＋信号光とＩ−信号光に分離される。
【００４１】
他方の分岐光は、ハーフミラー１５及びミラー１６を経由し、さらに、半波長板１７と２２．５度の偏波面回転手段１０及び偏波分離手段１１を経て、Ｑ成分信号を生成するためのＱ＋信号光とＱ−信号光に分離される。
【００４２】
１／４波長板１４は、半波長板１７と比較して高価であるため、第３の実施例では、１／４波長板を１つとし、製造コストの低減を図っている。
【００４３】
次に、図６を用いて、偏光ビームスプリッター２及びプリズムミラー３及び４によって構成される、１ビット分の遅延回路をより正確に調整する方法を説明する。
図６の基本構成は、第２の実施例を示す図４の構成とほぼ同様である。偏光ビームスプリッター２から出射する光波の一部をハーフミラー７１，７２で抽出し、それらを、ミラー７３及びハーフミラー７４で合成し、受光素子７５で光の強度を検出する。ディザ回路７７で、プリズムミラー３の変位を変化させながら、該受光素子７５からの光強度変化をモニタし、コントローラ７６で１ビット分の遅延を実現できる最適な位置を決定する。例えば、光強度が最大光量となるようにプリズムミラー３を設定することで、最適位置を決定することができる。
【産業上の利用可能性】
【００４４】
以上説明したように、本発明によれば、ＤＱＰＳＫ変調された光信号を多レベルの位相変調信号に復調する光受信器において、簡単な空間光学系を利用して、温度変化などの外乱の影響を受けにくい光受信器を提供することができる。
【符号の説明】
【００４５】
１  偏波コントローラ
２  偏光ビームスプリッター
３，４  プリズムミラー
８，９，１５  １／４波長板
１０  ２２．５度の偏波回転手段
１１，１２  偏波分離手段
１３  ４５度の偏波回転手段
【図１】
2010226170.tif 000003
【図２】
2010226170.tif 000004
【図３】
2010226170.tif 000005
【図４】
2010226170.tif 000006
【図５】
2010226170.tif 000007
【図６】
2010226170.tif 000008